(57)【要約】【課題】グリーン面上に載置した際に、容易に視認可能で、見つけ出し易く、しかもゴルフプレーヤーの装飾品としても使用できる。【解決手段】ボールマーカー1は、マーカー本体２の裏面に永久磁石３が埋設され、マーカー本体２の表面にラインストーンの装飾部４を設けた。また、マーカー本体２の表面側に立体部５を設け、立体部５の表面にラインストーンの装飾部４を設けた。また、マーカー本体２の表面と、立体部５の表面にラインストーンの装飾部４を設けた。立体部５は、指で摘むことが可能な形状である。【選択図】図１
0003182757.tif 000002
【実用新案登録請求の範囲】
【請求項１】
マーカー本体の裏面に永久磁石が埋設され、
前記マーカー本体の表面にラインストーンの装飾部を設けたことを特徴とするゴルフボールマーカー。
【請求項２】
マーカー本体の裏面に永久磁石が埋設され、
前記マーカー本体の表面側に立体部を設け、
前記立体部の表面にラインストーンの装飾部を設けたことを特徴とするゴルフボールマーカー。
【請求項３】
マーカー本体の裏面に永久磁石が埋設され、
前記マーカー本体の表面側に立体部を設け、
前記マーカー本体の表面と、前記立体部の表面にラインストーンの装飾部を設けたことを特徴とするゴルフボールマーカー。
【請求項４】
前記立体部は、指で摘むことが可能な形状であることを特徴とする請求項２または請求項３に記載のゴルフボールマーカー。
【考案の詳細な説明】
【技術分野】
【０００１】
この考案は、ゴルフのプレーに際してグリーン面上でゴルフボールの位置をマークするために用いられるゴルフボールマーカーに関する。
【背景技術】
【０００２】
従来のゴルフボールマーカーとしては、金属製等で円盤状（コイン状）に形成したものが知られ、裏面に磁石を貼付又は埋設し、磁性体製のクリップ等を介して、ゴルフプレーヤーの衣服や帽子にゴルフボールマーカーを着脱可能に保持せしめ、ゴルフボールマーカーの取り出しを容易にするとともに紛失防止を図ったものとして、例えば特許文献１乃至３に記載されるものがある。
【０００３】
【特許文献１】実開昭６２−１３０６７５号
【特許文献２】実開昭６１−９４０６２号
【特許文献３】米国特許第６１７００８８号
【考案の開示】
【考案が解決しようとする課題】
【０００４】
しかしながら、従来のゴルフボールマーカーは、マーカー本体が平たく形成されたものが多く、グリーン面上に載置して使用する際に、ゴルフボールマーカーがグリーン面に対して略面一となるため、グリーン面上に載置したゴルフボールマーカーを見つけ出すのに苦労するという問題があった。そしてこのことは、ゴルフプレーヤーの高齢化に伴い、より顕著な問題となってきている。
【０００５】
また、近年女子のゴルフプレーヤーが著しく増加しており、特に女子のゴルフプレーヤーのゴルフウェアー、手袋、帽子、靴などがお洒落になっている。また、ゴルフボールに色を着けて見やすくしたり、ゴルフテー、ゴルフボールマーカーなどもカラフルなものや機能を求めた形状にしたり、装飾を施したものがある。
【０００６】
そこで、この考案は、上記問題に鑑みてなされたものであり、グリーン面上に載置した際に、容易に視認可能で、見つけ出し易く、しかもゴルフプレーヤーの装飾品としても使用できるゴルフボールマーカーを提供することを目的とするものである。
【課題を解決するための手段】
【０００７】
かかる課題を解決するために、この考案は、以下のように構成した。
【０００８】
請求項１に記載の考案は、マーカー本体の裏面に永久磁石が埋設され、前記マーカー本体の表面にラインストーンの装飾部を設けたことを特徴とするゴルフボールマーカーである。
【０００９】
請求項２に記載の考案は、マーカー本体の裏面に永久磁石が埋設され、前記マーカー本体の表面側に立体部を設け、前記立体部の表面にラインストーンの装飾部を設けたことを特徴とするゴルフボールマーカーである。
【００１０】
請求項３に記載の考案は、マーカー本体の裏面に永久磁石が埋設され、前記マーカー本体の表面側に立体部を設け、前記マーカー本体の表面と、前記立体部の表面にラインストーンの装飾部を設けたことを特徴とするゴルフボールマーカーである。
【００１１】
請求項４に記載の考案は、前記立体部は、指で摘むことが可能な形状であることを特徴とする請求項２または請求項3に記載のゴルフボールマーカーである。
【考案の効果】
【００１２】
前記構成により、この発明は、以下のような効果を有する。
【００１３】
請求項１に記載の考案では、マーカー本体の裏面に永久磁石が埋設され、マーカー本体の表面にラインストーンの装飾部を設けたことで、グリーン面上に載置した際に、ラインストーンの装飾部が太陽光線等によって輝き、容易にゴルフボールマーカーを視認可能で、見つけ出し易い。また、ゴルフプレーヤーの帽子に取り付けた止具、時計バンド、ブローチなどに取り付けて装飾品として使用することができる。
【００１４】
請求項２に記載の考案では、マーカー本体の裏面に永久磁石が埋設され、マーカー本体の表面側に立体部を設け、立体部の表面にラインストーンの装飾部を設けたことで、グリーン面上に載置した際に、立体部のラインストーンの装飾部が太陽光線等によって輝き、容易にゴルフボールマーカーを視認可能で、見つけ出し易い。また、ゴルフプレーヤーの帽子に取り付けた止具、時計バンド、ブローチなどに取り付けて装飾品として使用することができる。
【００１５】
請求項３に記載の考案では、マーカー本体の裏面に永久磁石が埋設され、マーカー本体の表面側に立体部を設け、マーカー本体の表面と、立体部の表面にラインストーンの装飾部を設けたことで、グリーン面上に載置した際に、マーカー本体の表面と、立体部のラインストーンの装飾部が太陽光線等によって輝き、容易にゴルフボールマーカーを視認可能で、見つけ出し易い。また、ゴルフプレーヤーの帽子に取り付けた止具、時計バンド、ブローチなどに取り付けて装飾品として使用することができる。
【００１６】
請求項４に記載の考案では、立体部は、指で摘むことが可能な形状であり、立体部を指で摘んで容易にグリーン面上に載置したり、取り上げることができる。また、立体部を指で摘んで容易にゴルフプレーヤーの帽子に取り付けた止具、時計バンド、ブローチなどに取り付けたり、取り外すことができる。
【図面の簡単な説明】
【００１７】
【図１】第1の実施の形態のゴルフボールマーカーを示し、（a）はゴルフボールマーカーの平面図、(ｂ)はゴルフボールマーカーの側面図、（c）はゴルフボールマーカーの断面図である。
【図２】第２の実施の形態のゴルフボールマーカーを示し、（a）はゴルフボールマーカーの平面図、(ｂ)はゴルフボールマーカーの側面図、（c）はゴルフボールマーカーの断面図である。
【図３】第３の実施の形態のゴルフボールマーカーを示し、（a）はゴルフボールマーカーの平面図、(ｂ)はゴルフボールマーカーの側面図、（c）はゴルフボールマーカーの断面図である。
【考案を実施するための形態】
【００１８】
以下、この考案のゴルフボールマーカーの実施の形態について説明する。この考案の実施の形態は、考案の最も好ましい形態を示すものであり、この考案はこれに限定されない。
【００１９】
（第1の実施の形態）
第1の実施の形態のゴルフボールマーカーを、図1に基づいて説明する。図１（a）はゴルフボールマーカーの平面図、図1(ｂ)はゴルフボールマーカーの側面図、図１（c）はゴルフボールマーカーの断面図である。この実施の形態のゴルフボールマーカー１は、マーカー本体2が円形に形成され、このマーカー本体2の裏面に永久磁石３が埋設され、マーカー本体２の表面にラインストーンの装飾部４を設けたものである。永久磁石３は、例えばアルニコ磁石、フェライト磁石、希土類磁石等を用いることができ、特にフェライト磁石が好ましい。
【００２０】
マーカー本体2は、金属、あるいは樹脂により平面視で円形、楕円形、三角形、四角形、多角形、あるいはハート形、星形などいかなる形状であってもよいが、視認性及び携帯性の観点からは、径２０〜３０ｍｍ程度の円形又は楕円形が好ましい。また、マーカー本体2の表面は、平面に形成されているが、上方に向かって緩やかに湾曲して膨らんだ断面形状をなすものでもよい。また、マーカー本体2は、グリーン面上での視認性を向上させるために、厚さは３〜５ｍｍ程度以上とすることが好ましい。
【００２１】
この実施の形態では、マーカー本体２の裏面に永久磁石３が埋設され、マーカー本体２の表面にラインストーンの装飾部４を設けたことで、グリーン面上に載置した際に、ラインストーンの装飾部４が太陽光線等によって輝き、容易にゴルフボールマーカー１を視認可能で、見つけ出し易い。また、ゴルフプレーヤーの帽子に取り付けた止具、時計バンド、ブローチなどに取り付けて装飾品として使用することができる。
【００２２】
（第２の実施の形態）
第２の実施の形態のゴルフボールマーカーを、図2に基づいて説明する。図2（a）はゴルフボールマーカーの平面図、図2(ｂ)はゴルフボールマーカーの側面図、図2（c）はゴルフボールマーカーの断面図である。この実施の形態のゴルフボールマーカー１は、マーカー本体2が円形に形成され、このマーカー本体2の裏面に永久磁石３が埋設され、マーカー本体２の表面側に立体部５を設け、この立体部５の表面にラインストーンの装飾部４を設けたものである。
【００２３】
マーカー本体2は第1の実施の形態と同様に形成され、このマーカー本体2の表面には、ラインストーンの装飾部を設けないで立体部５を設けているが、立体部５はマーカー本体2と一体に成形してもよく、別体に形成して固定してもよい。また、立体部５は、ボール形であるが、このボール形に限定されず、ハートや星形などを立てたように固定したものでもよく、指で摘むことが可能な形状が好ましい。
【００２４】
この実施の形態では、マーカー本体２の裏面に永久磁石３が埋設され、マーカー本体２の表面側に立体部５を設け、この立体部５の表面にラインストーンの装飾部４を設けたことで、グリーン面上に載置した際に、立体部５のラインストーンの装飾部４が太陽光線等によって輝き、容易にゴルフボールマーカー１を視認可能で、見つけ出し易い。また、ゴルフプレーヤーの帽子に取り付けた止具、時計バンド、ブローチなどに取り付けて装飾品として使用することができる。
【００２５】
また、立体部５は、指で摘むことが可能な形状であり、立体部５を指で摘んで容易にグリーン面上に載置したり、取り上げることができる。また、容易に時計バンドやブローチなどに取り付けたり、取り外すことができる。
【００２６】
（第３の実施の形態）
第３の実施の形態のゴルフボールマーカーを、図３に基づいて説明する。図３（a）はゴルフボールマーカーの平面図、図３(ｂ)はゴルフボールマーカーの側面図、図３（c）はゴルフボールマーカーの断面図である。この実施の形態のゴルフボールマーカー１は、マーカー本体2が円形に形成され、このマーカー本体2の裏面に永久磁石３が埋設され、マーカー本体２の表面側に立体部５を設け、マーカー本体２の表面と、立体部５の表面にラインストーンの装飾部４を設けたものである。
【００２７】
マーカー本体2は第１の実施の形態と同様に形成され、立体部５はマーカー本体2と一体に成形してもよく、別体に形成して固定してもよい。また、立体部５は、ボール形であるが、このボール形に限定されず、ハートや星形などを立てたように固定したものでもよく、指で摘むことが可能な形状が好ましい。
【００２８】
この実施の形態では、マーカー本体２の裏面に永久磁石３が埋設され、マーカー本体２の表面にラインストーンの装飾部４を設け、また立体部５の表面にラインストーンの装飾部４を設けたことで、グリーン面上に載置した際に、マーカー本体２の表面と、立体部５のラインストーンの装飾部４が太陽光線等によって輝き、容易にゴルフボールマーカー１を視認可能で、見つけ出し易い。また、ゴルフプレーヤーの帽子に取り付けた止具、時計バンド、ブローチなどに取り付けて装飾品として使用することができる。
【００２９】
また、立体部５は、指で摘むことが可能な形状であり、立体部５を指で摘んで容易にグリーン面上に載置したり、取り上げることができる。また、容易に時計バンドやブローチなどに取り付けたり、取り外すことができる。
【産業上の利用可能性】
【００３０】
この考案は、ゴルフのプレーに際してグリーン面上でゴルフボールの位置をマークするために用いられるゴルフボールマーカーに適用でき、グリーン面上に載置した際に、容易に視認可能で、見つけ出し易く、しかもゴルフプレーヤーの装飾品としても使用可能である。
【符号の説明】
【００３１】
１  ゴルフボールマーカー
２  マーカー本体
３  永久磁石
４  ラインストーンの装飾部
５  立体部
【図１】
0003182757.tif 000003
【図２】
0003182757.tif 000004
【図３】
0003182757.tif 000005